(57)【要約】【課題】牽制アームの不正開放操作によるドアガードの無効化を阻止する。衝撃で牽制アームが掛止ピン側へ倒れ込んで使用者が室外へ締め出されるのを防止する。ドア閉じ状態において補助錠としても機能する。そんなドアガードを提供する。【解決手段】牽制アーム１１は、ドア１の面壁に沿う収納位置と、収納位置からアーム軸２６の回りに揺動する牽制準備位置と、牽制準備位置からアーム軸２６に沿って下方移動する牽制位置とに姿勢変更できる。収納位置においてロックレバー３６が第１ロック部３４と係合することにより、牽制アーム１１の起立揺動を規制し、衝撃による牽制アームの倒れ込みを防ぐ。牽制準備位置においては、牽制アーム１１に設けた仮連結穴２０が掛止ピン１２と交差して、親ドア１の開放を規制する補助錠として機能する。牽制位置においてロックレバー３６が第２ロック部３５と係合することにより、牽制アーム１１の不正開放操作を阻止する。【選択図】図１
2006118153.tif 000002
【特許請求の範囲】
【請求項１】
ドア（１）側に固定されるアームブラケット（１０）と、アームブラケット（１０）で起伏揺動自在に支持される牽制アーム（１１）と、アームブラケット（１０）と牽制アーム（１１）との間に設けられるアームロック機構と、ドア枠（２）側に設けられる掛止ピン（１２）とを含み、
牽制アーム（１１）は、アームブラケット（１０）に装着したアーム軸（２６）の回りに揺動自在に、かつ、アーム軸（２６）に沿って上下スライド自在に支持されて、ドア（１）の面壁に沿う収納位置と、収納位置からアーム軸（２６）の回りに揺動して起立する牽制準備位置と、牽制準備位置からアームばね（２８）の付勢力に抗してアーム軸（２６）に沿ってスライド変位する牽制位置とに姿勢変更でき、
牽制アーム（１１）には、掛止ピン（１２）のピン頭部（３０）が相対的に出入りできる仮連結穴（２０）と、掛止ピン（１２）のピン軸（２９）と相対スライドできるスライド溝（２１）とが上下に位置ずれする状態で形成されており、
アームロック機構は、アームブラケット（１０）に設けた軸受（１６）の周面に形成される第１ロック部（３４）と、軸受（１６）の対向面に形成される第２ロック部（３５）と、牽制アーム（１１）で往復スライド自在に案内支持されて、各ロック部（３４・３５）に係脱できるロックレバー（３６）と、ロックレバー（３６）をロック付勢するレバーばね（３７）と、ロックレバー（３６）の上下移動を規制する規制壁（３８）、および規制壁（３８）に形成した通口（３９）とを含み、
収納位置においてロックレバー（３６）が第１ロック部（３４）と係合して、牽制アーム（１１）の起立揺動を規制でき、牽制位置においてロックレバー（３６）が第２ロック部（３５）と係合して、牽制アーム（１１）を牽制位置に位置保持できるドアガード。
【請求項２】
アームブラケット（１０）の上側の軸受（１６）に、第１ロック部（３４）と第２ロック部（３５）とが設けられており、
牽制アーム（１１）の上面に配置したロックレバー（３６）が、レバーばね（３７）でアーム軸（２６）の側へ向かってロック付勢されており、
牽制アーム（１１）を通口（３９）に沿って押し下げ操作することにより、ロックレバー（３６）が第２ロック部（３５）とロック係合できる請求項１記載のドアガード。
【発明の詳細な説明】
【技術分野】
【０００１】
本発明は、ドアが半開放位置を越えて開放揺動するのを規制するドアガードに関する。
【背景技術】
【０００２】
一般的なドアガードは、ドア側に装着される牽制アームと、牽制アームを起伏揺動可能に支持するアームブラケットと、ドア枠側に装着される掛止ピンなどで構成するが、この種のドアガードは例えば特許文献１に公知である。そこでは、意に反して牽制アームが掛止ピン側へ倒れ込み、使用者が室外へ締め出されるのを防ぐために、牽制アームと同行回動するアーム軸を六角軸で形成し、その対向周面を板ばねで挟み保持して牽制アームの倒れ込みを防いでいる。
【０００３】
ドアガードにおいて、牽制アームが外部から不正に操作されるのを防止すること、およびドアを閉じた状態において、ドアガードを補助錠として機能させることは特許文献２に公知である。そこでは、牽制アームと、アームブラケットと、掛止ピンと、掛止ピンをピン中心軸の回りに回転可能に支持するピン台などでドアガードを構成している。
【０００４】
掛止ピンは、ピン中心軸の回りに回転操作することにより、待機姿勢と作動姿勢とに姿勢切り換えできる。掛止ピンが待機姿勢にあるとき、牽制アームを掛止ピン側へ起立させると、そのスライド溝の基端に設けた挿脱穴を掛止ピンと交差させることができる。このとき、掛止ピンの中途部に設けた断面長方形状のロック軸部が縦長姿勢になっているので、ロック軸部はスライド溝内へ入り込めず、ドアガードはドアの開放を規制する補助錠として機能する。
【０００５】
上記の状態から掛止ピンを回動して作動姿勢に切り換えると、ロック軸部が横長姿勢になって、掛止ピンとスライド溝とが相対スライド可能になるので、ドアを半開位置まで開放できる。また、ロック軸部がスライド溝と係合する状態では、掛止ピンを回転操作することができないので、ドアとドア枠の隙間から手を差し込んで掛止ピンを待機姿勢に切り換えることはできない。したがって牽制アームをドアの面壁に沿う不使用姿勢に戻せない。
【０００６】
【特許文献１】特開２００１−３２３７０９号公報（段落番号００１７、図２）
【特許文献２】特開２００４−１９１３５号公報（段落番号００３４、図１）
【発明の開示】
【発明が解決しようとする課題】
【０００７】
特許文献１のドアガードによれば、ドアの開閉時に牽制アームが掛止ピン側へ倒れ込むのを概ね防止できるものの、例えばドアが乱暴に閉じ操作されてドア枠と衝突するような場合に、牽制アームが掛止ピン側へ倒れ込み、使用者が室外へ締め出されるおそれがある。牽制アームをクリック機構で位置保持する特許文献１のドアガードも、同様のおそれがある。いずれの場合にも、板ばねの弾性力やクリック機構の係合力を大きく設定すればよいが、手動で牽制アームを起伏操作する関係上、板ばねの弾性力やクリック機構の係合力をいたずらに大きくできないからである。
【０００８】
牽制アームはドアを閉じた状態でのみ、掛止ピンと係合する起立姿勢からドアの表面に沿う不使用姿勢に戻すことができる。その限りでは、牽制アームを外部から不正に操作することはできないはずである。しかし、その詳細は敢えて説明しないが、一般的なドアガードであれば、紐を使用して牽制アームを外部から簡単に不使用姿勢に戻すことができる。
【０００９】
この点、特許文献２のドアガードは、掛止ピンを作動姿勢から待機姿勢に切り換えない限りは、牽制アームを不使用姿勢に戻せないので、紐による不正操作を排除できる。さらに、掛止ピンを待機姿勢に切り換えた状態では、ロック軸部がスライド溝内へ入り込めないので、ドアガードを補助錠として機能させることができる。
【００１０】
しかし、特許文献２のドアガードであっても、特定の使用状況下、例えば、通常幅の親ドアに隣接して幅狭の子ドアが配置してある親子ドアにおいて、子ドアの揺動端の上下が、ドア枠の上框と床に対して抜き差しされる錠止ロッドで止め付けてある場合には、牽制アームと掛止ピンとの連結状態がいとも簡単に解除されて、ドアガードが無効化されてしまう。
【００１１】
詳しくは、親ドアが換気開放位置（半開放位置）に開放してある状態において、両ドアの隙間から手を差し込んで錠止ロッドを解錠操作し、さらに子ドアを開放揺動させて、掛止ピンを牽制アームのスライド溝の開放端（牽制アームの揺動基端側）から離脱させることができる。揺動基端が開放されたＵ字状の枠体で牽制アームを形成しており、しかも、アーム軸の中心を通る垂直の仮想平面上からずれた位置にスライド溝の厚み中心が設けてあるので、半開放状態において子ドアを開放揺動操作すると、牽制アームと掛止ピンとを分離させて、親ドアを自由に開放操作できるからである。
【００１２】
本発明の目的は、牽制アームが不正に操作されてドアガードが無効化されるのを確実に防止できるうえ、ドア開閉時の振動や衝撃で牽制アームが掛止ピン側へ倒れ込み、使用者が室外へ締め出されるのを防止できるドアガードを提供することにある。
【００１３】
本発明の目的は、ドアを閉じた状態において補助錠として機能するドアガードを提供することにある。本発明の目的は、紐による牽制アームの不正操作を確実に防止できるうえ、親子ドアに設けたドアガードが無効化されるのを防止でき、全体として防犯効果に優れたドアガードを提供することにある。
【課題を解決するための手段】
【００１４】
本発明のドアガードは、ドア１側に固定されるアームブラケット１０と、アームブラケット１０で起伏揺動自在に支持される牽制アーム１１と、アームブラケット１０と牽制アーム１１との間に設けられるアームロック機構と、ドア枠２側に設けられる掛止ピン１２とを含む。
【００１５】
牽制アーム１１はアームブラケット１０に装着したアーム軸２６の回りに揺動自在に、かつ、アーム軸２６に沿って上下スライド自在に支持し、これにより、ドア１の面壁に沿う収納位置と、収納位置からアーム軸２６の回りに揺動して起立する牽制準備位置と、牽制準備位置からアームばね２８の付勢力に抗してアーム軸２６に沿ってスライド変位する牽制位置とに姿勢変更できるようにする。
【００１６】
牽制アーム１１には、掛止ピン１２のピン頭部３０が相対的に出入りできる仮連結穴２０と、掛止ピン１２のピン軸２９と相対スライドできるスライド溝２１とが上下に位置ずれする状態で形成されている。
【００１７】
アームロック機構は、アームブラケット１０に設けた軸受１６の周面に形成される第１ロック部３４と、軸受１６の対向面に形成される第２ロック部３５と、牽制アーム１１で往復スライド自在に案内支持されて、各ロック部３４・３５に係脱できるロックレバー３６と、ロックレバー３６をロック付勢するレバーばね３７と、ロックレバー３６の上下移動を規制する規制壁３８、および規制壁３８に形成した通口３９とを含む。以て、収納位置においてロックレバー３６が第１ロック部３４と係合して、牽制アーム１１の起立揺動を規制でき、牽制位置においてロックレバー３６が第２ロック部３５と係合して、牽制アーム１１を牽制位置に位置保持できるようにしてある。
【００１８】
アームブラケット１０の上側の軸受１６には、第１ロック部３４と第２ロック部３５とを設ける。牽制アーム１１の上面に配置したロックレバー３６は、レバーばね３７でアーム軸２６の側へ向かってロック付勢する。以て、牽制アーム１１を通口３９に沿って押し下げ操作することにより、ロックレバー３６が第２ロック部３５とロック係合できるようにする。
【発明の効果】
【００１９】
本発明では、アームブラケット１０、牽制アーム１１、掛止ピン１２と、アームロック機構などでドアガードを構成し、牽制アーム１１をアーム軸２６の回りに揺動自在に、しかもアーム軸２６に沿って上下スライド自在に支持することにより、牽制アーム１１を収納位置と、牽制準備位置と、牽制位置とに姿勢変更できるようにした。そのうえで、収納位置においてアームロック機構のロックレバー３６が第１ロック部３４と係合して、牽制アーム１１の起立揺動を規制できるようにしたので、ドア閉じ時の衝撃によって牽制アーム１１が掛止ピン１２側へ倒れ込むのを防止して、使用者が室外へ締め出されるのを確実に防止できる。
【００２０】
牽制アーム１１を牽制位置に切り換えるとき、ロックレバー３６は規制壁３８に設けた通口３９を通り抜けて第２ロック部３５と係合する。換言すると、ロックレバー３６の位相位置と通口３９の位相位置とが一致した状態（ドア１を閉じた状態）でのみ、牽制アーム１１を牽制準備位置から牽制位置に切り換えることができる。しかし、ドア１を半開放した状態では、ロックレバー３６と通口３９の位相位置はずれており、ドア１の開放隙間から手を差し込んでロックレバー３６をロック解除することはできない。つまり、ドア１を閉じた状態で、紐を用いて牽制アーム１１を開き操作したところで、牽制アーム１１を掛止ピン１２から分離することはできず、したがって牽制アーム１１の不正操作を確実に防止できる。仮連結穴２０とスライド溝２１とを上下に位置ずれさせるのは、牽制準備位置と牽制位置との間で牽制アーム１１をスライド移動させるためである。
【００２１】
ドアガードを親子ドアに適用した状態では、親ドア１を半開位置まで開放し、さらに錠止ロッド５を解錠操作して子ドア２を開放揺動することができる。しかし、子ドア２を開放操作したところで、牽制アーム１１がピン台１３に接し、掛止ピン１２のピン頭部３０がスライド溝２１の基端側に接した状態で子ドア２の開放移動が阻止されるので、掛止ピン１２と牽制アーム１１とを分離することはできず、ドアガードが無効化されるのを防止できる。
【００２２】
ドア１を閉じ、牽制アーム１１を牽制準備位置に位置させた状態では、掛止ピン１２と仮連結穴２０とが交差してドア１の開放動作を規制するので、ドアガードを補助錠として機能させることができる。以上のように、本発明のドアガードによれば、ドア１を開閉する時の振動や衝撃で牽制アーム１１が掛止ピン１２の側へ倒れ込み、使用者が室外へ締め出されるのを確実に防止できるし、紐による牽制アーム１１の不正操作や、親子ドアに設けたドアガードが無効化されるのを防止して防犯効果が向上し、さらにドアを閉じた状態において補助錠として機能する多機能なドアガードを提供できる。
【００２３】
牽制アーム１１を通口３９に沿って押し下げ操作することにより、ロックレバー３６を第２ロック部３５にロック係合するようにしたアームロック機構によれば、ロックレバー３６のロック解除操作は加わるものの、従来のドアガードと概ね同等の操作で牽制アーム１１を掛止ピン１２に係脱できるので、従来のドアガードに馴染んだ使用者であっても、牽制アーム１１と掛止ピン１２との係脱操作を違和感なく確実に行える。
【発明を実施するための最良の形態】
【００２４】
（実施例）  図１ないし図１１は本発明に係るドアガードを外開き型の親子ドアに適用した実施例を示す。図２において、符号１は親ドア（ドア）、２は子ドア（ドア枠）である。これらのドア１・２はそれぞれの側端上下が一対のヒンジ３・４で揺動開閉自在に支持されている。子ドア２の親ドア１との隣接側面の上下には錠止ロッド５が設けてあり、錠止ロッド５をドア枠６の上框、および床に差し込み係合することにより、子ドア２は開閉不能に固定してある。
【００２５】
これにより、この実施例における子ドア２は、通常のドアにおけるドア枠の役割を果たすことになるので、この実施例に限って子ドア２をドア枠とみなす。錠止ロッド５は、子ドア２の親ドア１との隣接側面側に設けた切換レバーを１８０度反転操作することにより、ドア枠６の上框および床と係脱できる。親ドア１と子ドア２との隣接部分に本発明に係るドアガードを配置する。符号７は開閉ハンドルである。
【００２６】
図３においてドアガードは、親ドア１に固定されるアームブラケット１０と、アームブラケット１０で起伏揺動自在に支持される牽制アーム１１と、アームブラケット１０と牽制アーム１１との間に設けられるアームロック機構と、子ドア２側に設けられる掛止ピン１２と、掛止ピン１２を支持するピン台１３とからなる。
【００２７】
アームブラケット１０は、平板状の座板１５と、座板１５の上下に突設した一対の軸受１６とを一体に備えたダイキャスト成形品からなり、座板１５の上下４箇所がビス１７で親ドア１に締結固定される。
【００２８】
牽制アーム１１は、丸筒状のボス１８と、ボス１８の一側に突設される係合アーム１９とを一体に備えたダイキャスト成形品からなり、係合アーム１９の基端側に丸穴状の仮連結穴２０を有し、係合アーム１９の長手方向に沿ってスライド溝２１を形成してある。スライド溝２１は仮連結穴２０の上方に偏寄する状態で配置してあり、これら両者２０・２１は、仮連結穴２０に連続する縦溝２２を介してつながっている。
【００２９】
係合アーム１９の上面には、逆凸字状のガイド突起２３を形成してある。このガイド突起２３で後述するロックレバー３６をスライド自在に案内する。縦溝２２とスライド溝２１の周囲には、掛止ピン１２のピン頭部３０を受け入れる段部２４が凹み形成されている。段部２４は、係合アーム１９の表裏両側にそれぞれ形成する。スライド溝２１の厚み方向の中心線は、アーム軸２６の中心を通る垂直の仮想平面上に位置させてある。
【００３０】
一対の軸受１６に装着したアーム軸２６でボス１８を支持することにより、牽制アーム１１は、アーム軸２６の回りに揺動自在に支持され、しかもアーム軸２６に沿って上下スライド自在に支持される。これにより牽制アーム１１は、アーム全体がドア１の面壁に沿う収納位置（図１および図３に示す状態）と、収納位置から９０度起立揺動する牽制準備位置（図４および図５に示す状態）と、牽制準備位置からアームばね２８の付勢力に抗して下方へ押し下げ操作された牽制位置（図６および図７に示す状態）とに姿勢変更できる。
【００３１】
図６においてアーム軸２６の下側には、カラー２７を外嵌装着してあり、カラー２７の上端とボス内面のばね穴との間に配置したアームばね２８で、牽制アーム１１を牽制準備位置へ向かって押し上げ付勢している。アームばね２８は圧縮コイルばねからなる。
【００３２】
掛止ピン１２は、丸軸からなるピン軸２９と、ピン軸２９の突端に張り出し形成されたピン頭部３０とを一体に備えており、図４に示すようにピン軸２９の基端を支軸３１で軸支してある。図示していないロック体をロック解除操作した状態では、掛止ピン１２を図５に実線で示す使用姿勢と、想像線で示す不使用姿勢とに変位操作できる。先に説明した仮連結穴２０は、ピン頭部３０の直径よりひと回り大きく形成し、スライド溝２１の溝幅は、ピン軸２９の直径寸法より僅かに大きく設定した。
【００３３】
図１においてアームロック機構は、アームブラケット１０に設けた上側の軸受１６の周面両側に形成されたコ字溝状の第１ロック部３４と、上側の軸受１６の下面(対向面)に形成される第２ロック部３５と、各ロック部３４・３５に係脱するロックレバー３６と、ロックレバー３６をロック付勢するレバーばね３７などで構成する。
【００３４】
上側の軸受１６の周面下部には、ロックレバー３６の下方移動を規制する規制壁３８が張り出し形成されており、規制壁３８の周方向中央にロックレバー３６の下方移動を許す通口３９が切り欠き形成されている。第１ロック部３４を左右両側に形成したのは、アームブラケット１０を右勝手ドアと左勝手ドアのそれぞれに共通して使用するためである。左右両側に設けた第１ロック部３４の間の軸受部周面は、軸受穴と同心状の部分円弧面で形成してある。
【００３５】
ロックレバー３６は横方向に長い角棒状のダイキャスト成形品からなり、その側端に各ロック部３４・３５に係脱するロック爪４２を有し、上面の他側寄りに操作部４３を凹み形成してある。図６および図８に示すように、操作部４３側のレバー内面には、ガイド突起２３と係合してスライド案内されるスライド穴４４を形成してある。レバーばね３７は圧縮コイルばねからなり、ガイド突起２３の側端に設けたばね受壁４５と、スライド穴４４の上部に設けたばね穴の内奥との間に配置されて、ロックレバー３６をアーム軸２６の側へ向かって移動付勢する。
【００３６】
次に、ドアガードの使用法を説明すると、常態における牽制アーム１１は、図３に示すようにアーム全体がドア１の面壁に沿う収納位置に倒伏している。このとき、ロックレバー３６のロック爪４２が第１ロック部３４に落ち込み係合し、その側面が第１ロック部３４の内側面で受け止められているので、牽制アーム１１は起立揺動できない。そのため、例えば親ドア１が乱暴に閉じ操作されて子ドア２と激しく衝突したとしても、牽制アーム１１が運動慣性力によって起立揺動することはなく、収納位置に位置保持される。したがって、使用者が室外に締め出されるのを確実に防止できる。収納位置における牽制アーム１１は、そのボス１８の上端が規制壁３８で受け止められている。
【００３７】
牽制アーム１１を起立操作するときは、ロックレバー３６をレバーばね３７の付勢力に抗してスライド操作し、図９に示すように、そのロック爪４２と第１ロック部３４との係合を解除した状態で、ロックレバー３６あるいは牽制アーム１１を牽制準備位置へ回動操作する。このとき親ドア１が閉じ位置にあれば、図４および図５に示すように仮連結穴２０と掛止ピン１２とが互いに交差し、掛止ピン１２のピン軸２９の回りが仮連結穴２０で囲まれる。そのため、仮連結穴２０の内面が掛止ピン１２に接当するまでは親ドア１を開放操作できるが、それ以上開放することはできず、したがってドアガードを補助錠として機能させることができる。
【００３８】
牽制準備位置に位置する牽制アーム１１をアームばね２８の付勢力に抗して押し下げ操作することにより、図６に示すように牽制アーム１１を牽制位置に切り換えることができ、同時に通口３９を通り抜けたロックレバー３６のロック爪４２を第２ロック部３５に落ち込み係合させて、牽制アーム１１を牽制位置に位置保持できる。この位置切り換えにより、掛止ピン１２のピン軸２９が縦溝２２を介してスライド溝２１の基端部分側へ相対移動するので、親ドア１を開放操作することができる。
【００３９】
ロック爪４２が第２ロック部３５に落ち込み係合した状態では、ロック爪４２の突端がアーム軸２６の周面に接し、その上面が軸受１６、および規制壁３８の下面（対向面）で受け止められる。この状態で親ドア１を開放すると、スライド溝２１と掛止ピン１２とが相対スライドし、スライド溝２１の内面奥端が掛止ピン１２のピン軸２９で受け止められるので、それ以上は親ドア１を開放操作できない。
【００４０】
上記のように、親ドア１を半開放した状態では、両ドア１・２の隙間から手を差し込んでロックレバー３６をロック解除方向へスライド操作できる。しかし、ロックレバー３６を、スライド穴４４の内奥がガイド突起２３に接当する限界位置までスライド操作したとしても、ロック爪４１の上面の一部が規制壁３８の下面で受け止められているので、牽制アーム１１が牽制準備位置へ復帰移動することはない。
【００４１】
つまり、親ドア１を閉じ操作しない限りは、牽制アーム１１を牽制準備位置へ復帰移動できない。また、紐を用いて牽制アーム１１を収納位置側へ操作しようとしても、掛止ピン１２がスライド溝２１内に位置している限りは、掛止ピン１２と牽制アーム１１との交差状態を解除し、分離することはできない。
【００４２】
親ドア１を半開放した状態において、子ドア２の錠止ロッド５を解錠操作すると、図１１に示すように子ドア２を開放揺動することができ、子ドア２の開放揺動に伴って、掛止ピン１２をスライド溝２１に沿って相対移動することができる。しかし、子ドア２を開放操作したところで、係合アーム１９の基端寄りがピン台１３に接し、掛止ピン１２のピン頭部３０がスライド溝２１の基端側段部２４に接した状態で子ドア２の開放移動が阻止されるので、掛止ピン１２と牽制アーム１１の係合状態を解除することはできない。
【００４３】
両ドア１・２の隙間から手を差し込んでロックレバー３６をロック解除方向へスライド操作することはできるが、上記と同様に、ロック爪４１の上面の一部が規制壁３８の下面で受け止められるので、牽制アーム１１が牽制準備位置へ復帰移動することはない。したがって、牽制アーム１１を牽制準備位置へ復帰移動できない。
【００４４】
上記の実施例以外に、ロックレバー３６は牽制アーム１１の下面側に配置することができる。その場合には、第１ロック部３４、および第２ロック部３５を下側の軸受１６に形成し、牽制アーム１１をアームばね２８で押し下げ付勢する。上記の実施例で説明したドアガードを、上下に反転した状態でドア１およびドア枠６に装着して使用することもできる。
【００４５】
本発明のドアガードは、親子ドア以外の通常のドアや、内開きドアにも適用でき、その場合には掛止ピン１２をドア枠６に装着する。第１ロック部３４および第２ロック部３５は、軸受１６の周面に穴や突起として形成してもよく、その場合にはロック爪４２に穴や突起と係合する突起や穴を形成しておく。スライド溝２１と掛止ピン１２との間には、親ドア１を半開放位置に位置保持するためのストッパーを設けることができる。
【００４６】
通口３９は、規制壁３８の中央部に形成する必要はなく、第１ロック部３４の近傍の規制壁３８に形成することができる。その場合には、親ドア１を殆ど閉じた位置においてのみ、ロックレバー３６を第２ロック部３５と係合できるので、ロックレバー３６のロック解除をさらに困難化できる。
【図面の簡単な説明】
【００４７】
【図１】ドアガードの牽制アームとその支持構造を示す斜視図である。
【図２】親子ドアの正面図である。
【図３】牽制アームを収納位置に傾倒したドアガードの正面図である。
【図４】牽制アームを牽制準備位置に起立したドアガードの正面図である。
【図５】図４におけるＡ−Ａ線断面図である。
【図６】牽制アームを牽制位置に移動したドアガードの一部破断正面図である。
【図７】図６におけるＢ−Ｂ線断面図である。
【図８】ロックレバーのスライド構造を示す断面図である。
【図９】牽制アームの起立途中状態を示す一部破断平面図である。
【図１０】親ドアを半位置に開放したドアガードの一部破断平面図である。
【図１１】子ドアを開放した状態のドアガードの一部破断平面図である。
【符号の説明】
【００４８】
１  ドア
２  ドア枠
１０  アームブラケット
１１  牽制アーム
１２  掛止ピン
１６  軸受
２０  仮連結穴
２１  スライド溝
２６  アーム軸
２８  アームばね
２９  掛止ピンのピン軸
３０  掛止ピンの頭部
３４  第１ロック部
３５  第２ロック部
３６  ロックレバー
３７  レバーばね
３８  規制壁
３９  通口
【図１】
2006118153.tif 000003
【図２】
2006118153.tif 000004
【図３】
2006118153.tif 000005
【図４】
2006118153.tif 000006
【図５】
2006118153.tif 000007
【図６】
2006118153.tif 000008
【図７】
2006118153.tif 000009
【図８】
2006118153.tif 000010
【図９】
2006118153.tif 000011
【図１０】
2006118153.tif 000012
【図１１】
2006118153.tif 000013